(57)【要約】【課題】洗い場を確保する等の衛生設備室の各機能の使い勝手を低下させることなく省スペース化を図り、延いては、省かれたスペースを住居内の他の用途に振り向けて居住スペースを拡大することができる衛生設備室を提供する。【解決手段】浴槽及び洗い場を有する浴室スペースと、便器を有するトイレスペースと、上記浴室スペースと上記トイレスペースとを離隔する位置に配置され、上記浴室スペース及び上記トイレスペースの何れからも使用可能な洗面化粧台とを備える。【選択図】  図１
2007321431.tif 000002
【特許請求の範囲】
【請求項１】
浴槽及び洗い場を有する浴室スペースと、
便器を有するトイレスペースと、
上記浴室スペースと上記トイレスペースとを離隔する位置に配置され、上記浴室スペース及び上記トイレスペースの何れからも使用可能な洗面化粧台と、
を備えることを特徴とする衛生設備室。
【請求項２】
前記洗面化粧台は、前記浴室スペースと前記トイレスペースとの境界となる線を軸として左右対称の洗面器を備え、その対称軸上に水栓及び排水口を配置したことを特徴とする請求項１記載の衛生設備室。
【請求項３】
前記浴室スペース及びトイレスペースは、それぞれ専用の出入り口を備えることを特徴とする請求項１記載の衛生設備室。
【請求項４】
前記衛生設備室は、全開時において、前記洗面化粧台の前記浴室スペース側のカウンタトップ上の開口を閉塞し、閉時において、前記浴槽の前記洗い場に面する側のリム上の開口を閉塞する片開き戸を備えることを特徴とする請求項１記載の衛生設備室。
【請求項５】
前記洗面化粧台は、その上部の上記浴室スペース及び上記トイレスペースの何れからも使用可能な位置に、上部収納キャビネットを備え、該キャビネットの扉は、左右いずれの方向にも開閉可能に形成されたことを特徴とする請求項１記載の衛生設備室。
【請求項６】
前記洗面化粧台の洗面器下部を、前記浴室スペースからアクセス可能な浴室用キャビネットと、前記トイレスペースからアクセス可能なトイレ用キャビネットとに区画したことを特徴とする請求項１記載の衛生設備室。
【請求項７】
前記便器は、該便器の便座を起こした状態における天端と略同一高さにおいて上記便器の周囲から便器背面側の壁及び両側方の壁に至る区域に横設された天板と、該天板の前面下部から床面までに立設された側板とにより囲繞され、上記便座とともに上記天板をも掩蔽する便座カバーを備えることを特徴とする請求項１記載の衛生設備室。
【請求項８】
前記便器の側方の壁と上記便器の側面との間に、前記床から前記便座カバーに至る高さに立設された間仕切りを設け、該間仕切りにより区画された空間上に、上記便座カバーと略同一断面の開閉自由なカバーを上記便座カバーと並置して収納空間を形成したことを特徴とする請求項７記載の衛生設備室。
【発明の詳細な説明】
【技術分野】
【０００１】
本発明は、浴槽、シャワー装置、洗面化粧台、便器等の衛生設備を一室内に納めた衛生設備室に関する。
【背景技術】
【０００２】
バブル時代に高騰した都心部の地価も、バブル崩壊によりある程度下落したことから、そのアメニティに惹かれて、都心に住居を構える都心回帰の現象が起きている。
【０００３】
この中心となるのが、シングル（特に女性）世帯と、カップル（ＤＩＮＫＳ等）世帯である。彼等にとっても、都心部でのマンション購入費又は家賃は決して安いものではないので、住居の面積も限られたものとなる。それでも彼等は、自分達のライフスタイルに合った質の高い住居を望んでいる。
【０００４】
これを住居を供給する側から見れば、限られた面積を有効に利用して、それによって浮いた面積から自由に使える空間を作り出した物件を供給することが販売、賃貸のポイントとなる。そのためにまず着目されるのが、浴室、洗面化粧室、トイレ等の衛生設備を備える部屋である。
【０００５】
伝統的な間取りでは、洗面化粧室は脱衣室を兼ねて浴室前に配置されることが多いものの、それぞれ独立した室を形成し、トイレに至ってはこれらとは全くの別室として形成される。したがって、それぞれの室は同時使用も可能である。
【０００６】
これらの床面積の合計が住居の総床面積に占める割合は大きいので、まずこの面積を削減することが検討される。この床面積削減方法の一つに、洗面化粧室をトイレと一体化させる、或いは廃止する方法がよく行われている。トイレの中に洗面化粧室の機能を盛り込むといっても、面積が限られているので小さな洗面器しか採用できず、使い勝手が悪く、また、十分な収納スペースを確保できない。第一、便器の横で化粧等をすることに抵抗感を覚える女性は多い。洗面化粧室を廃止したものでは、化粧のためには寝室等に別途ドレッサーを購入しなければならず、また、洗面、歯磨き等はキッチンの流し台で行うしかなく、快適な都市生活とはいえない。
【０００７】
他方、シャワーを有する浴槽と便器、洗面化粧台の三つを一つの室内に収める、いわゆる 3 in 1 と呼ばれるものも広く行われている。しかし、洗い場がないので、シャワーを浴びるのも体を洗うのも浴槽内に行わねばならないが、水滴飛散防止のためにカーテンで仕切られているので圧迫感がある。そして、入浴後は、飛散した水滴や湿気等でトイレも使い辛くなる等、使用者にとって決して使い勝手のよいものとはいえない。さらに、備品それぞれの使用空間も十分に確保されておらず、閉塞感を与えるものになっているし、一人分の空間しかないので、同時に二人以上で使用することができない。上述した方法と同様、便器の横で化粧等をすることに抵抗感を与える場合がある。
【０００８】
これら広く行われている方法以外にも種々の提案がなされている。例えば、浴槽と、洗面化粧台が配設される洗面スペースと、脱衣スペースとが順に並設されて成る浴室ユニットであって、洗面スペース床面を防水仕様とし、浴槽と洗面スペースとの間に左右に開閉する第一の間仕切りを設け、洗面スペースと脱衣スペースとの間に左右に開閉する第二の間仕切りを設けて成る浴室ユニットがある（例えば、特許文献１参照。）。
【０００９】
この浴室ユニットによれば、第一の間仕切りを閉じるとともに第二の間仕切りを開けて、洗面スペースと脱衣スペースとを一つの広い洗面化粧室として使用することができ、第一の間仕切りを開けるとともに第二の間仕切りを閉じて、浴槽の設置されたスペースと洗面スペースとを、入浴時に広い浴室として使用することもできる。さらに、第一の間仕切りと第二の間仕切りとの両方を閉じて、洗面スペースを独立した洗面化粧室として使用することも可能である。
【００１０】
しかしながら、洗面スペースの外に脱衣スペ−スを設けなければならない必然性はなく、スペ−ス的には無駄であり、衛生設備室の面積低減に資するとは思えない。
【００１１】
また、シャワーを有するシャワールームと便器を有するトイレルームと洗面化粧台を設けた洗面所とを互いに一体化して一ユニットに納め、上記洗面化粧台を通路側に面するように設けられたサニタリーユニットも提案されている（例えば、特許文献２参照。）。
【００１２】
このサニタリーユニットによれば、通路を洗面作業時のスペースとして使用することができて、その分だけシャワールームとトイレルームとをそれぞれ広くスペースをとることができ、シャワー、便器、洗面化粧台といった内部商品の互いの配置に無理をすることなく、結果として、使用者にとっての使い勝手を良いものとすることができる。
【００１３】
しかしながら、通路を洗面作業時のスペースとして使用するので、通行の邪魔になることがある。また、快適な都市生活には浴室を別途設ける必要があり、このサニタリーユニットは、２階建て以上のような住宅の２台目のトイレおよび洗面化粧台として採用できるにとどまるものである。
【特許文献１】特開平９−１４４３４６号公報
【特許文献２】特開２００１−１７８６６３号公報
【発明の開示】
【発明が解決しようとする課題】
【００１４】
本発明は、上述した事情を考慮してなされたもので、洗い場を確保する等の衛生設備室の各機能の使い勝手を低下させることなく省スペース化を図り、ひいては、省かれたスペースを住居内の他の用途に振り向けて居住スペースを拡大することができる衛生設備室を提供することを目的とするものである。
【００１５】
本発明の他の目的は、浴室及びトイレの同時使用も可能な機能的な衛生設備室を提供することにある。
【００１６】
本発明のさらに他の目的は、新しいライフスタイルに適合した衛生設備室を提供することにある。
【課題を解決するための手段】
【００１７】
本発明に係る衛生設備室は、上述した課題を解決するために、請求項１に記載したように、浴槽及び洗い場を有する浴室スペースと、便器を有するトイレスペースと、上記浴室スペースと上記トイレスペースとを離隔する位置に配置され、上記浴室スペース及び上記トイレスペースの何れからも使用可能な洗面化粧台とを備えるものである。
【００１８】
前記洗面化粧台は、好適には、請求項２に記載したように、前記浴室スペースと前記トイレスペースとの境界となる線を軸として左右対称の洗面器を備え、その対称軸上に水栓及び排水口を配置することが望ましい。
【００１９】
そして、前記浴室スペース及びトイレスペースは、好適には、請求項３に記載したように、それぞれ専用の出入り口を備えるようにすることもできる。
【００２０】
また、前記衛生設備室は、好適には、請求項４に記載したように、全開時において、前記洗面化粧台の前記浴室スペース側のカウンタトップ上の開口を閉塞し、閉時において、前記浴槽の前記洗い場に面する側のリム上の開口を閉塞する片開き戸を備える構成とすることができる。
【００２１】
他方、前記洗面化粧台は、好適には、請求項５に記載したように、その上部の上記浴室スペース及び上記トイレスペースの何れからも使用可能な位置に、上部収納キャビネットを備え、該キャビネットの扉は、左右いずれの方向にも開閉可能に形成されることが望ましい。
【００２２】
また、好適には、請求項６に記載したように、前記洗面化粧台の洗面器下部を、前記浴室スペースからアクセス可能な浴室用キャビネットと、前記トイレスペースからアクセス可能なトイレ用キャビネットとに区画してもよい。
【００２３】
一方、前記便器は、好適には、請求項７に記載したように、該便器の便座を起こした状態における天端と略同一高さにおいて上記便器の周囲から便器背面側の壁及び両側方の壁に至る区域に横設された天板と、該天板の前面下部から床面までに立設された側板とにより囲繞され、上記便座とともに上記天板をも掩蔽する便座カバーを備える構成とすることができ、請求項８に記載したように、前記便器の側方の壁と上記便器の側面との間に、前記床から前記便座カバーに至る高さに立設された間仕切りを設け、該間仕切りにより区画された空間上に、上記便座カバーと略同一断面の開閉自由なカバーを上記便座カバーと並置して収納空間を形成することも可能である。
【発明の効果】
【００２４】
本発明に係る衛生設備室によれば、洗い場を確保する等の衛生設備室の各機能の使い勝手を低下させることなく省スペース化を図り、ひいては、省かれたスペースを住居内の他の用途に振り向けて居住スペースを拡大することができる。
【００２５】
本発明は、浴室及びトイレの同時使用も可能な機能的な衛生設備室を得ることができる効果があり、また、新しいライフスタイルに適合した衛生設備室を得ることができる効果がある。
【発明を実施するための最良の形態】
【００２６】
本発明に係る衛生設備室の実施の形態について、添付図面を参照して説明する。図１は、本発明に係る衛生設備室の第１の実施形態の平面図である。この実施形態に示された衛生設備室１は、平面視略長方形の空間の一方に浴室スペース１０が、他方にトイレスペース６０が設けられ、この両者の中間にこれらを離隔する位置に配置された洗面化粧台３０が配置されている。ここで、床は浴室スペース１０のみ防水パンであっても、トイレスペース６０も防水パンとしてもよく、或いはこの衛生設備室１の床全体を一の防水パンで構成してもよい。なお、ここでいう浴室スペース１０とは、浴室としての閉じた空間を意味するものではなく、本衛生設備室１内において、浴室の機能を有する空間という意味である。
【００２７】
本実施形態に係る衛生設備室１は、スペースを節約するために、洗面化粧台３０横に通路を設けない構成になっている。そのため、衛生設備室１内で両者間を移動することはできないので、それぞれ専用の浴室側出入口１１及びトイレ側出入口６１が設けられている。この場合、両者を引き戸とすれば、戸袋を共有することができるので、無駄なスペースを省くことができる。
【００２８】
浴室スペース１０は、浴室側出入口１１を入ったところに洗い場１２が広がり、その奥に浴槽１３が設置されている。他方、トイレスペース６０は、浴トイレ側出入口６１を入ったところに洗面スペース１２が広がり、その奥に便器６３が設置されている。
【００２９】
浴槽１３の便器６３側端部のリム上には、間仕切り６２が立設される。これは、開放感を与えるために透明ガラス製であってもよいし、視界を遮ることを目的として、金属製又は合成樹脂製のパーティションとしてもよい。或いはこれらの中間の効果を狙って型板ガラスやすり板ガラスとすることもできる。
【００３０】
浴槽１３の洗い場１２に面する側面のトイレスペース６０側の一角には、洗面化粧台３０の一側面が衝合し、この部分の浴槽１３のリム上には、ガラスパーティション１５が立設される。ガラスパーティション１５は、浴槽１３内に入った入浴者に圧迫感、閉塞感を与えないように、透明ガラスとすることが望ましい。このガラスパーティション１５のトイレスペース側端部は、間仕切り６２の端部と直交して当接し、両者の間から水が漏れ出ないように止水されている。
【００３１】
浴槽１３の洗い場１２に面する側面の他端には、やはりリム上に、衛生設備室１の壁面に当接して、袖壁１６が立設される。この袖壁１６も、ガラスパーティション１５同様、透明ガラスで形成される。
【００３２】
これらに対し、洗面化粧台３０の浴室スペース１０側、トイレスペース６０側のいずれにも壁は設けられておらず、両方に解放されている。したがって、浴室スペース１０、トイレスペース６０のいずれからも洗面化粧台３０を使用することができる。
【００３３】
ガラスパーティション１５と袖壁１６との間の開口ＯＰ１から、入浴者は浴槽１３へ出入りするのであるが、ここには、片開き戸１７が、ガラスパーティション１５の開口ＯＰ１側端部を吊元として取り付けられる。この片開き戸１７は、ガラスパーティション１５及び袖壁１６と同材のガラスドアである。
【００３４】
片開き戸１７は、衛生設備室１の天井直下に位置する上辺から、浴槽１３のリムの直上に位置する下辺までの高さを有する。これにより、片開き戸１７を閉じた状態では、開口ＯＰ１は略完全に閉じられる。
【００３５】
なお、これらガラスパーティション１５及び袖壁１６を、浴槽１３のバスエプロン正面に当接させて床面から立設させ、この両者間に片開き戸１７を配する構成としてもよい。この場合、片開き戸１７の下辺を、床面から浴槽１３のリムまでの任意の位置に持ってくることができ、ガラスパーティション１５及び袖壁１６をリム上に立設する場合と同等の効果を得ることができる。
【００３６】
片開き戸１７は、通常は図１の（イ）に示すように、開口ＯＰ１を閉じるように、浴槽１３のバスエプロン１４に当接した状態に置かれている。この状態では、洗い場１２に立って浴室スペース１０側から洗面化粧台３０を利用することができる。
【００３７】
また、浴槽１３内でシャワーを浴びることもできる。この場合、浴槽１３の洗い場側は、ガラスパーティション１５、袖壁１６及び片開き戸１７により閉じられて、シャワーの水が洗い場１２側へ飛散することが防止される。それでいて、3 in 1タイプの衛生設備室における浴槽のようにカーテンを用いていないので、シャワー使用者に圧迫感、閉塞感を与えない。すなわち、浴槽内で窮屈な思いをしながらシャワーを浴びるのではなく、欧米で人気のあるシャワールーム内でシャワーを浴びる快適さを得ることができる。
【００３８】
そして、シャワー使用後も洗い場１２は乾いているので、洗い場１２は脱衣所としての役割も果たさせることができ、シャワー直後に洗い場１２において着衣ができ、その状態でスキンケアや化粧行為を行うことも可能となる。また、洗い場１２が濡れないことから、洗い場１２の掃除の頻度を減らすこともできる。
【００３９】
この状態から、ドアハンドル１８を引いて片開き戸１７を開けば、図１の（ロ）に示すように、洗面化粧台３０の側面に当接した状態で全開となる。この状態では、洗面化粧台上部の開口ＯＰ２が片開き戸１７により閉じられており、この開口ＯＰ２から水がトイレスペース６０側へ水が飛散する心配がなく、洗い場１２を文字通り洗い場として使用することができる。
【００４０】
入浴中に、洗面化粧台３０上に置かれた歯ブラシ、カミソリや洗顔料等を使用したくなった場合や、シャンプーボトルが空になっているのを見つけて替えのシャンプーを持ち込みたい場合であっても、片開き戸１７を少し開けるだけで用が足りるので、裸を気にしながら室外に出ることも、濡れた体で廊下を濡らすこともなく、洗面化粧台３０ヘアブローチすることができる。
【００４１】
片開き戸１７は、透明ガラス製なので、この場合も、洗面化粧台３０上部に壁面がないので、広々とした開放感を得ることができる。さらに、湿気がトイレスペース６０側へ漏れ出ることも最小限に抑えられるので、便器６３に局部洗浄装置等の精密機器を取り付けても、それら（特に図１に示すリモコン７１等）が湿気により故障する虞がない。
【００４２】
なお、片開き戸１７は、枠付の或いは枠なしのカーテンで形成してもよい。また、開口ＯＰ１，ＯＰ２それぞれに片引きのカーテンを設けてもよい。このような構成としても、透明ガラス戸のような開放感こそ得られないものの、開口ＯＰ１，ＯＰ２を覆って、水がこの開口ＯＰ１，ＯＰ２から他方へ飛散することを防止する点では、ガラスドアと略同等の効果を得ることができる。
【００４３】
この浴室スペースに設けられたシャワー装置１９は、シャワーヘッドに吐水、止水の切替を行える手元開閉機構を有するハンドシャワータイプのものであり、シャワーヘッド２０を掛止するハンガーは、浴槽１３側の浴槽側シャワーハンガー２３と、洗い場側シャワーハンガー２４とが設けられる。ここで、洗い場側シャワーハンガー２４は、スライド式シャワーハンガー装置が採用されている。
【００４４】
浴槽１３内では、浴槽側シャワーハンガー２３にシャワーヘッド２０を掛止して、または手に持ってシャワーを浴びることができる。洗い場１２内では、洗い場側シャワーハンガー２４にシャワーヘッド２０を掛止して、または手に持って使用する。シャワーヘッド２０には手元開閉機構が設けられているので、洗い場１２での使用のように頻繁にシャワーの開閉を行う場合でも、いちいち水栓まで手を伸ばすことなく、開閉することができる。また、スライド式シャワーハンガー装置との併用により、シャワーヘッド２０をスライド式シャワーハンガー装置の最下端に掛止する状態におくと、水栓としても使用することができるので、本実施形態に係る衛生設備室１のように、別途洗い場用水栓を設けない仕様とすることもできる。
【００４５】
なお、シャワー装置１９に給水、給湯する建物側のシャワー配管は、浴槽１３側の壁裏から取り出されて接続部２２が形成され、ここにシャワーホース２１が接続される。これは、接続部２２が洗い場１２側に設けられると、浴槽１３内で使用する際、シャワーホース２１を、開口ＯＰ１を通過させなければならず、これを挟むことになって片開き戸１７を完全に閉じることができなくなるからである。
【００４６】
浴室スペース１０の洗面化粧台３０と反対側の壁にはまた、姿見２５が取り付けられている。本実施形態では、この姿見２５は、衛生設備室１の天井から床面に至る略全高に亘る高さを有している。
【００４７】
したがって、使用者は、図１（ハ）に示すように、姿見２５に全身を映すことができるので、例えば外出前に身繕いを確認でき、入浴中であればボディチェックをすることもできる。また、周りのものが映りこみ、空間全体を広く感じさせる効果もある。
【００４８】
さらに、図１（ニ）に示すように、トイレスペース６０側からでも、洗面化粧台３０越しに姿見２５の正面に立つことができるので、後述する上部キャビネット３６の扉３７を開いて、或いは体を捻って、扉３７正面に向く手間なく、半身鏡として使うことができる。
【００４９】
洗面化粧台３０は、カウンタトップ３１に、浴室スペース１０と、トイレスペース６０との境界となる線を軸として、左右対称の形状の洗面器３２を備え、この対称軸Ｌ上に水栓３４及び排水口３５も設けられている。これにより、浴室スペース１０からでも、トイレスペース６０からでも、どちらかの使い勝手を犠牲にすることなく、同等の使用感を得ることができる。
【００５０】
洗面器３２の下部は、図４に示すように、間仕切り４８によって、浴室用キャビネット３９とトイレ用キャビネット４０とに区画され、浴室スペース１０とトイレスペース６０のそれぞれに収納スペースが与えられる。このように区画することにより、浴室スペース１０及びトイレスペース６０の双方で、それぞれに必要な物を分けて収納することができる。
【００５１】
間仕切り４８は、洗面化粧台３０の中間にではなく、トイレスペース６０側に偏った位置に設けられる。これは、浴室用収納では、バスタオル等の比較的大きい物も収納されること、また種類や量も多いことから奥行きを確保する必要があるのに対し、トイレ用収納では、トイレットペーパー等コンパクトな物が多いことによる。
【００５２】
浴室用キャビネット３９は、図５に示すように、出入口１１側に比較的深い引出し４１と、浴槽１３側に比較的浅い引出し４２が２段設けられる。さらに、浅い引出し４２の下には、棚４４が設けられている（図８参照）。
【００５３】
浅い引出し４２は、図５において破線で示すように、その底面が、片開き戸１７の下辺と略同じ高さに合わせられ、入浴中には片開き戸１７によって覆われるので、洗い場でシャワー行為が行われる場合であっても、引出し４２の隙間から引出し４２内部へ水が浸入することを防止する。このため、片開き戸１７下辺より下には引出しを設ける代わりに棚４４が設けられた。また、引出し４２表面に飛散した水が付かないので、清掃の手間を省くことができる。この点、深い引出し４１は、洗い場側シャワーハンガー２４からある程度離れているので、水滴飛散の被害は少ない。
【００５４】
したがって、上述したように、ガラスパーティション１５及び袖壁１６を、浴槽１３のバスエプロン正面に当接させて床面から立設させ、この両者間に片開き戸１７を配する構成とし、片開き戸１７の下辺を、床面から近傍の低い位置に持ってくると、片開き戸１７に覆われる部分も増え、引出しを増設することも可能である。
【００５５】
深い引出し４１内には、図６に示すように、ランドリーボックス４３が備えられ、洗い場１２を脱衣所として使用した際に、脱衣後の衣類、着替えを収納することができるようになっている。このように、洗い場１２は、脱衣所としての機能も有しているので、別途脱衣室を設ける必要がなく、省スペースを図ることができる。
【００５６】
一方、浅い引出し４２には、タオルやバスタオル等が収納可能であり、その下の棚４４は、片開き戸１７で覆われることはないので、直接水を受ける場所であるが、水の飛散を受けても支障のない物、例えばシャンプーボトル等を収納する場所として使用できる。
【００５７】
他方、トイレ用キャビネット４０は、図７に示すように、片開き扉４７を有する比較的狭い収納スペースと、両開き扉４６を有する比較的広い収納スペースとを備える。狭い収納スペース内には棚４７が２段設けられていて、トイレットペーパー等の収納に使用され、広い収納スペースは、清掃用ブラシ等、背の高い物を収納することができる。トイレスペース６０では、通常水の飛散等はないので、浴室スペース１０側のように片開き戸で覆う必要はなく、また、高さ方向も、巾木４９の直上までフルに活用することができる。
【００５８】
洗面化粧台３０の出入口側の側面の壁上部には、図８に示すように、上部キャビネット３６が取り付けられ、化粧品や洗面、歯磨き用具を収納することができるように棚５０が複数設けられる。これにより、洗面化粧台３０のカウンタトップ３３上に物が散乱されたままにならないよう整理でき、カウンタトップ３３を広く使用することができる。
【００５９】
上部キャビネット３６は、洗面器３２からはねる水が当たらないように、カウンタトップ３３より浮かして設置されるので、水はねも軽減され清掃の手間が省ける。なお、これにより、片開き戸１７全開状態時に浴室スペース１０側において、上部カウンタ３６とカウンタトップ３３との間に生じる隙間は、防水板３８によって塞がれ（図５参照）、洗い場１２でシャワー行為を行った場合でも、この隙間から水がトイレスペース６０側へ浸入することを防止する。
【００６０】
上部キャビネット３６の扉３７は、左右いずれの方向にも開くことができるようになっている。これにより、浴室スペース１０からでも、トイレスペース６０からでも、どちらかの使い勝手を犠牲にすることなく、同等の使用感を得ることができる。
【００６１】
また、この扉３７には、表裏両面の全面に鏡が取り付けられている。したがって、化粧時や髭剃り時に顔の細部を見たい場合、扉３７を手前側に開けば、図８（ホ）に示すように、直立したままで見ることができる。これにより、扉３７を向こう側に開いて、同図（ヘ）に示すように、前屈して鏡を覗き込む必要がなく、楽な姿勢で化粧や髭剃りを行うことができる。
【００６２】
反対に、扉３７を向こう側へ開いた場合には、鏡を見ながら上部キャビネット３６内の物を出し入れできるというメリットがあるので、使用者は、使用目的に応じて、扉３７を便利な方向に開くことができる。なお、図８では、浴室スペース１０からの場合を示しているが、トイレスペース６０からの場合も同様であることはいうまでもない。
【００６３】
トイレスペース６０の最奥部に設置された便器６３には、図９に示すように、便座６４を起こした便器６３本体の天端と略同一高さに、便器６３の周囲から便器６３背面側の壁及び両側方の壁に至る区域に天板６６が横設され、この天板６６の前面下部から床面までに立設された側板６７とにより囲繞され、便器本体は見えないように掩蔽されている。これにより、便器後方や壁面が交差する部分にゴミ等が溜まることがなくなり、このような込み入った形状で、手の届き難い部分の清掃の必要がなくなる。
【００６４】
また、便座カバー６５は、便座とともに上記天板をも掩蔽する大きさ、形状に形成され、便座カバー６５を閉じた場合には、便器６３全体が全く見えなくなる（図２参照）。これにより、便座カバー６５を降ろしておけば、洗面や化粧をする際、便器６３が目に入ることで感じる、トイレルーム内での化粧行為という嫌悪感を解消される。また、来客時にも、抵抗なくトイレスペースを化粧室として提供することができる。
【００６５】
この便座カバー６５は、人が着座可能な強度を有するように形成されている。このように、ベンチのように座ることが可能な形状、構造を有することから、ここに座って身繕いをしたり、ボディーケア等を行うこともできる。
【００６６】
便器６３の一方の側方には、図１０に示すように、仕切り板６８が、便器６３背面の壁から前方の側板６７に亘って、床から便座カバー６５に至る高さに立設され、便器６３側方の壁との間に収納庫７２が設けられる。この収納庫７２にも、便座カバー６５と同形状、同構造の蓋が取り付けられる。この収納庫７２は、図１１に示すように、予備のトイレットペーパーを収納する広さを有する。そして、清掃用ブラシや汚物入れを収納してもよい。
【００６７】
従来の独立型のトイレルーム内に設置される手洗い器は、スペースの関係上、指先洗いしかできない小型のものしか設置できず、鏡が設置されていないことも多い。しかし、本実施形態に係る衛生設備室１では、フル機能を有する洗面化粧台３０とを備えるので、トイレ使用後に、トイレルームでの手首から掌全体を洗ったり、洗面化粧も行うことができ、通常の洗面化粧室として使用することができる。また、洗面化粧台３０の外に、重複してトイレ用手洗い器を備える必要がなくなる。
【００６８】
本実施形態に係る衛生設備室１は、以上のように構成されているので、浴室スペース１０とトイレスペース６０との同時使用が可能となり、3 in 1タイプと異なり、単身世帯のみならず、カップル世帯にも好適である。例えば、ＤＩＮＫＳの場合、出勤前の慌ただしい時間に、一方で歯磨きで洗面化粧台３０を使用していても、他方でひげ剃り又は化粧のために洗面化粧台３０を使用することができる。また、来客時にも対応することができる。
【００６９】
この衛生設備室１を採用したマンションの一室と従来の衛生設備室採用のものとを図１２において比較する。最近では、同図に示すように、伝統的な２ＤＫ等ではなく、ワンルームを自分達のライフスタイルに合わせて壁面収納で間仕切りするオープンなタイプに人気がある。
【００７０】
同図（ｂ）に示すように、従来の衛生設備室を採用したものでは、略３３００×３０００程度のスペースが必要であるのに対し、同図（ａ）に示す本実施形態に係る衛生設備室１では、殆ど同機能を有しながら、略２３００×１８００程度のスペースしか占拠しないので、省スペース化が可能にあり、余ったスペースを、有効に利用することが可能となる。
【００７１】
以上に説明した実施態様は説明のためのものであり、本発明の範囲を制限するものではない。したがって、当業者であればこれらの各要素もしくは全要素をこれと均等なものによって置換した実施態様を採用することが可能であるが、これらの実施態様も本発明の範囲に含まれる。
【図面の簡単な説明】
【００７２】
【図１】本発明に係る衛生設備室の実施形態を示す平面図。
【図２】本実施形態に係る衛生設備室の片開き戸閉状態を示す内部透視図。
【図３】本実施形態に係る衛生設備室の片開き戸全開状態を示す内部透視図。
【図４】洗面器下部空間の平断面図。
【図５】浴室用キャビネットの正面図。
【図６】図５に示されたＤ−Ｄ矢視図。
【図７】トイレ用キャビネットの正面図。
【図８】図５に示されたＥ−Ｅ矢視図。
【図９】便器周りの縦断面図
【図１０】便座カバーを取り外した状態を示す平面図。
【図１１】図１０に示されたＧ−Ｇ矢視図。
【図１２】（ａ）は従来の衛生設備室が設置されたマンションの一室の例を、（ｂ）は同マンションの一室に本実施形態に係る衛生設備室を設置した例を示す図。
【符号の説明】
【００７３】
１  衛生設備室
１０  浴室スペース
１１  浴室側出入口
１２  洗い場
１３  浴槽
１５  ガラスパーティション
１６  袖壁
１７  片開き戸
１８  ドアハンドル
１９  シャワー装置
２０  シャワーヘッド
２１  シャワーホース
２２  接続部
２３  浴槽側シャワーハンガー
２４  洗い場側シャワーハンガー
２５  姿見
３０  洗面化粧台
３１  洗面スペース
３２  洗面器
３３  カウンタトップ
３４  水栓
３５  排水口
３６  上部キャビネット
３７  扉
３８  防水板
３９  浴槽浴室用キャビネット
４０  トイレ用キャビネット
４１，４２  引出し
４３  ランドリーボックス
４４，４７，５０  棚
４５  片開き扉
４６  両開き扉
４８  間仕切り
４９  巾木
６０  トイレスペース
６１  トイレ側出入口
６２  間仕切り
６３  便器
６４  便座
６５  便座カバー
６６  天板
６７  側板
６８  仕切り板
６９  蓋
７０  トイレットペーパー。ホルダー
７１  （局部洗浄装置用）リモコン
７２  収納庫
ＯＰ１，ＯＰ２  開口
【図１】
2007321431.tif 000003
【図２】
2007321431.tif 000004
【図３】
2007321431.tif 000005
【図４】
2007321431.tif 000006
【図５】
2007321431.tif 000007
【図６】
2007321431.tif 000008
【図７】
2007321431.tif 000009
【図８】
2007321431.tif 000010
【図９】
2007321431.tif 000011
【図１０】
2007321431.tif 000012
【図１１】
2007321431.tif 000013
【図１２】
2007321431.tif 000014